(57)【要約】      （修正有）【課題】人の体が、二本足で立位をとることで生じる身体のゆがみと、そのゆがみの要因となる筋肉の疲労を改善する。【解決手段】装身具は、頭頂部１、腕の付け根２、肘の上部３、手首４，５、手の指６，７，８，９，１０、腰１１、大腿部１２、膝１３、くるぶし１４，１５、足指１６,１７，１８，１９，２０、かかと２１、足裏２２のうち、少なくとも一つの部位に配置されるメビウスの輪状に形成した帯状体を備え、体の各部のねじれの力が、メビウスの輪状に形成された帯状体で変換される。【選択図】図５
2017113214.tif 000002
【特許請求の範囲】
【請求項１】
頭頂部、腕、肘、手首、手の指、腰、大腿部、膝、くるぶし、足指、かかと、足裏のうち、少なくとも一つの部位に配置されるメビウスの輪状に形成した帯状体を備えた装身具。
【発明の詳細な説明】
【技術分野】
【０００１】
本発明は、疲労を軽減する装身具に関するものである。
【背景技術】
【０００２】
本発明が解決しようとする課題は、立位と歩行によって全身に疲労が溜まっていくことである。
【０００３】
（前提）  人の身体は、重力によって地面方向に引っ張られている。これに抵抗して立位を保っている。足には常に重力に抵抗する力がかかっており、大腿部に位置する大腿四頭筋など様々な筋肉は常に力を発揮し続けている。
【０００４】
様々なマッサージなどでケアをしなければリラックス状態にならず、就寝時など横たわった状態でもその力は完全に抜けることはない。
【０００５】
常に力を発揮していることにより、大腿部は内側に軸回転する力が働いている。大腿部にある様々な筋肉が、それぞれにおいて疲労していくのだが、その様々な筋肉の疲労の合算である合力は結果として大腿部を内側に軸回転させるのである。
【０００６】
同じことは腕でも起こる。腕は日常生活において様々な動作をおこなう。その結果疲労し、これが完全に回復することはなく、腕にある筋肉それぞれが、それぞれの条件において疲労していく。その合力もまた、腕を内側に軸回転させる力になって働く。
【０００７】
二本足で立つ以上、必ず軸足がより多くの体重を負担するという条件が生まれる。それは時間の経過において、習慣としてとらえることができる。
【０００８】
軸足を軸にした回転が起こり、これに対抗するために背骨のずれなどが発生していく。
【０００９】
両足の足裏で構成する支持基底面の中に身体の様々な部位をおさめるために、身体の筋肉は力を使って修正している。その修正作業によって力が抜けにくくなった場所がやはりゆがみの基になっていく。
【００１０】
このようにして、人は立って生活をするだけで身体がゆがむ条件を自らが生み出していくのである。
【発明の概要】
【発明が解決しようとする課題】
【００１１】
本発明は、身体の各部位の、筋肉の疲労による変形を軽減する装身具の提供を目的とする。
【課題を解決するための手段】
【００１２】
頭頂部、腕、肘、手首、手の指、腰、大腿部、膝、くるぶし、足指、かかと、足裏のうち、少なくとも一つの部位に配置されるメビウスの輪状に形成した帯状体（以下、バンドと記す）を備えた装身具。
【発明の効果】
【００１３】
本発明によれば、体の各部のねじれの力が、メビウスの輪状に形成されたバンドで変換され、疲労が軽減する。
【図面の簡単な説明】
【００１４】
【図１】本実施例のバンドの展開図である。
【図２】同実施例のバンドを右半身および右軸足の使用者の頭部、腰部に装着するためのねじりを示す斜視図である。
【図３】同実施例のバンドを左半身および左軸足の使用者の頭部、腰部に装着するためのねじりを示す斜視図である。
【図４】同実施例のバンドを人体の各部位に装着した正面図である。
【図５】同実施例のバンドを人体の各部位に装着した背面図である。
【図６】同実施例のバンドを人体の各部位に装着した右側からの側面図である。
【図７】同実施例のバンドを人体の各部位に装着した左側からの側面図である。
【図８】同実施例のバンドを人体の各部位に装着した平面図である。
【図９】同実施例のバンドを人体の各部位に装着した底面図である。
【発明を実施するための形態】
【００１５】
図１、２、３を参照して本発明の実施の形態を説明する。
【００１６】
図１において、バンドＭは、伸縮する素材Ｙ、伸縮しない素材Ｗ、および伸縮しない素材Ｗの両端領域に設置した面ファスナーＸＲとＸＬで構成される。二つの面ファスナーＸＲとＸＬは同一面にある。
【００１７】
伸縮する素材Ｙと伸縮しない素材Ｗを組み合わせながら面ファスナーＸＲおよびＸＬを設けずにバンドＭの両端領域を縫い付け、あるいは接着してバンドＭを形成することも可能である。
【００１８】
また、伸縮する素材Ｙのみで面ファスナーＸＲとＸＬを設ける場合と、面ファスナーＸＲとＸＬを設けずに両端領域を縫い付け、あるいは接着してバンドを形成することも可能である。
【００１９】
さらには、伸縮しない素材Ｗのみで面ファスナーＸＲとＸＬを設ける場合と、面ファスナーＸＲとＸＬを設けずに両端領域を縫い付け、あるいは接着してバンドを形成することも可能である。
【００２０】
装着する部位によっては動作のたびに周囲が変形、膨張、縮小する部位があり、伸縮する素材Ｙ、伸縮しない素材Ｗ、面ファスナーＸＲおよびＸＬの組み合わせは変更可能である。
【００２１】
図２、３を参照して装着方法を説明する。
【００２２】
図２は、右半身の各部位への装着に際して図１の帯状の形状からバンドである図２の形状を作成するためのねじり方である。このねじり方は、右軸足の使用者が頭と腰に巻くときにも用いる。
【００２３】
図３は、左半身の各部位への装着に際して図１の帯状の形状からバンドである図３の形状を作成するためのねじり方である。このねじり方は、左軸足の使用者が頭と腰に巻くときにも用いる。
【００２４】
右足首を例にして巻き方を説明する。
【００２５】
バンドＭの右端に面ファスナーＸＲを、左端に面ファスナーＸＬが来るように持ち、右足首背面から前面に向かってまく。面ファスナーＸＲとＸＬは同一面上に配置しているので、どちらか一方をねじらない限り輪にはならない。
【００２６】
輪を作るために、ＸＲをＸＬの下に隙間なく置く。ＸＲとＸＬの間を折り紙の谷折りのように見立て、ＸＲをＸＬに向かって半回転させると面ファスナー同士が付き、輪になる。
【００２７】
ねじり部Ｚは伸縮する素材Ｙのなかに収まるようにすると装着時に違和感がない。
【００２８】
左足首の場合は、ＸＲをＸＬの上に置く。下になるＸＬをＸＲに向かって半回転させて輪を作る。
【００２９】
図２はこうした手順によってメビウスの輪を形成した、右半身の各部位および右軸足の使用者の頭と腰に装着するためのバンドである。
【００３０】
図３はこうした手順によってメビウスの輪を形成した、左半身の各部位および左軸足の使用者の頭と腰に装着するためのバンドである。
【００３１】
その作用は装着した部位によるが、右足首の場合を例に説明する。
【００３２】
前提として、人が二本足で立った時に地球からの引力で引っ張られるがゆえに、足の構成要素である筋肉が上下方向で下向きに押しつぶれ、変形する。これは筋肉の動作を妨げる要因になり、疲労していく要因となる。下向きに押しつぶれ変形することは同時に足の周囲が広がる力となる。
【００３３】
この前提に加えて、メビウスの輪状態ではないバンドによる装身具を装着した場合だが、このバンドの直径よりもわずかでも太い直径の部位にこれを装着すると、全方向から中心に向かって締め付ける力が発生し、その力は直接的に装着した部位に働きかける。そのため、違和感を感じやすくなり、また、筋肉を締め付ける力が直接的に伝わることによって５ミクロン、１０ミクロンといった極めて細い毛細血管の血流を阻害しやすくなる。手や足などの体の末端においてこの作用が働くと血流が阻害されたことにより冷えを感じやすくなり、また、疲労も蓄積しやすくなる。
【００３４】
これに対し、図２の装身具を右足首に装着した場合、引力で引っ張られるがゆえに足の周囲が広がろうとする力がバンドをめぐる力に変換され、結果として周囲が広がりにくくなる。これは、押しつぶされるという状態が、押しつぶれさないという状態に変化することであり、疲労するという状態が、疲労しないという状態に変化することである。人の身体はその形状が崩れなければ疲労しにくいのであり、すでに疲労している部位は形を戻すことによって疲労が解消しやすくなるのである。
【００３５】
骨格と筋肉の構成において上下方向にある骨と筋肉は常に引力を受け、さらにこの引力に抵抗するために力を使い、その結果、筋肉は疲労する。この疲労は、その筋肉が付着する骨の位置にも影響を及ぼす。
【００３６】
もともと、筋肉は引力によって変形し、それが疲労となっていたのだが、引力のもとで生活をする時間が経過していくと、つまり引力を受けながら年齢を重ねていくと疲労が抜けなくなった筋肉のゆがみによって骨格が引っ張られ、さらに姿勢を崩れさせていくという事態になるのである。
【００３７】
図２の装身具を右足首に装着した場合、足の周囲が広がろうとする力がバンドをめぐる力に変換されるだけではなく、この部位の筋肉の疲労を軽減させる作用がある。筋肉の疲労によってずれていた足首の骨の構造が、筋肉の疲労が軽減することによって本来の構造に戻るのである。
【００３８】
この、本発明の装身具を装着すると、装着した場所の筋肉の疲労が軽減する仕組みは、図５に示したすべての部位で実現できる。
【００３９】
腕や足は骨に対して多数の筋肉が関与している。筋肉に力が入ると、その筋肉が付着する両端にある部位を引き寄せる働きをする。この働きをする時、筋肉は縮む。その縮みは筋肉それぞれの条件に応じて縮んでいるが、合力として表面化する現象として、手足はそれぞれ内側に軸回転するベクトルが常に発生する。そして右軸足の人は右足を中心にして左に向かう回転、左軸足の人は左足を中心にして右に向かう回転のベクトルが常に発生している。
【００４０】
本発明による装身具が、各部位の筋肉の疲労に基づく回転のベクトルに対応し、そのベクトルを消すことができるのは、図２および図３で示したように、メビウスの輪の形状を作る時に用いるねじれの向きの作用である。
【００４１】
図２および図３で示しているねじれの向きは、人体の各部位のねじれの向きに対して逆に回転している。これによって人体の各部位のねじれを相殺する。
【００４２】
また、筋肉疲労は筋肉がはれ上がった状態になる。この要素は各部位の周囲が広がろうとする力が発生することでもある。
【００４３】
この、はれによる周囲が広がろうとする力は、本発明の装身具においては、バンドをめぐる力に変換され、結果として周囲が広がりにくくなる。
【００４４】
後述する各部位の詳細な説明においては、この作用がぞれぞれの部位において適切に作用することを示す。
【００４５】
本発明の装身具においては、この合力による各部位のねじれに対応する向きのねじれを作る。その対応するねじれが、右半身の各部位および右軸足の使用者の頭と腰には図２の形状になるねじれである。左半身の各部位および左軸足の使用者の頭と腰には図３の形状になるねじれである。
【００４６】
これをもとにして、図４〜図９を参照して本発明の実施の形態を説明する。本実施の形態の装身具は、頭頂部１、腕の付け根２、肘の上部３、手首の上部４、手首の橈骨手根関節５、手の第一指の付け根６、手の第二指の付け根７、手の第三指の付け根８、手の第四指の付け根９、手の第五指の付け根１０、腰１１、大腿部の付け根１２、膝の上部１３、くるぶしの上部１４、くるぶしの下部１５、足の第一趾１６、足の第二趾１７、足の第三趾１８、足の第四趾１９、足の第五趾２０、かかと２１、足裏２２にメビウスの輪状に形成したバンドを配置する。
【００４７】
各部位に対応する帯状体は次のとおりである。
【００４８】
頭頂部１については、右軸足の使用者はＣ１０１、左軸足の使用者はＤ１０１。
【００４９】
腕の付け根２については、右半身Ａ１０２、左半身Ｂ１０２。
【００５０】
肘の上部３については、右半身Ａ１０３、左半身Ｂ１０３。
【００５１】
手首の上部４については、右半身Ａ１０４、左半身Ｂ１０４。
【００５２】
手首の橈骨手根関節５については、右半身Ａ１０５、左半身Ｂ１０５。
【００５３】
手の第一指の付け根６については、右半身Ａ１０６、左半身Ｂ１０６。
【００５４】
手の第二指の付け根７については、右半身Ａ１０７、左半身Ｂ１０７。
【００５５】
手の第三指の付け根８については、右半身Ａ１０８、左半身Ｂ１０８。
【００５６】
手の第四指の付け根９については、右半身Ａ１０９、左半身Ｂ１０９。
【００５７】
手の第五指の付け根１０については、右半身Ａ１１０、左半身Ｂ１１０。
【００５８】
腰１１については、右軸足の使用者はＣ１１１、左軸足の使用者はＤ１１１。
【００５９】
大腿部の付け根１２については、右半身Ａ１１２、左半身Ｂ１１２。
【００６０】
膝の上部１３については、右半身Ａ１１３、左半身Ｂ１１３。
【００６１】
くるぶしの上部１４については、右半身Ａ１１４、左半身Ｂ１１４。
【００６２】
くるぶしの下部１５については、右半身Ａ１１５、左半身Ｂ１１５。
【００６３】
足の第一趾１６については、右半身Ａ１１６、左半身Ｂ１１６。
【００６４】
足の第二趾１７については、右半身Ａ１１７、左半身Ｂ１１７。
【００６５】
足の第三趾１８については、右半身Ａ１１８、左半身Ｂ１１８。
【００６６】
足の第四趾１９については、右半身Ａ１１９、左半身Ｂ１１９。
【００６７】
足の第五趾２０については、右半身Ａ１２０、左半身Ａ１２０。
【００６８】
かかと２１については、右半身Ａ１２１、左半身Ｂ１２１。
【００６９】
足裏２２については、右半身Ａ１２２、左半身Ａ１２２。
【００７０】
メビウスの輪状に形成したバンドは、右半身の部位２〜１０および１２〜２２に装着するものをＡ、左半身の部位２〜１０および１２〜２２に装着するものをＢとする。
【００７１】
さらに、右軸足の使用者が１および１１に装着するものをＣ、左軸足の使用者が１および１１に装着するものをＤとする。
【００７２】
ＡとＣはメビウスの輪が同じひねりとなり、ＢとＤはメビウスの輪が同じひねりとなる。
【００７３】
これは各部位の筋肉の疲労による軸回転への対応であり、ＡとＣが適合する個所にＢとＤを装着しても効果はない。反対も同じく、ＢとＤが適合する個所にＡとＣを装着しても効果はない。
【００７４】
バンドＡ、Ｂ、Ｃ、Ｄは幅が１センチメートル以下が適切である。１センチメートル以上の幅があると着用時に違和感を感じやすくなるため、本発明ではバンドの幅を１センチメートル以下、３ミリメートル以上と設定する。メビウスの輪は表面と裏面があって成立する。人の身体がその影響を受け取るためには表面と裏面が面として存在するバンドが必要になる。実験の結果、皮膚がその影響を受け取りやすいのは幅が３ミリメートル以上、１センチメートル以下である。
【００７５】
バンドの素材は、ゴム、テープ、布が適合する。頭部１においては伸縮しない素材例として紙製のバンドも適合する。
【００７６】
それぞれの部位における作用は次のとおりである。
【００７７】
頭部１については、右軸足の使用者はバンドＣ１０１、左軸足の使用者はバンドＤ１０１を装着することにより、軸足を中心にした身体全体の軸回転を軽減することができる。身体全体は１枚の皮膚におおわれており、かかとの皮膚が地面と身体により挟み込まれていることで、皮膚にとってはかかとがアンカーの役割を果たしている。軸足を中心にした軸回転は皮膚も支配している。
【００７８】
アンカーは必ずその物体の両端になる。アンカーなくしてねじれは固定化されないからである。一方がかかとにあり、皮膚が回転する力が決定づけられるもう一方のアンカーは頭部である。
【００７９】
この一方のアンカーである頭部にバンドＣ１０１もしくはＤ１０１を装着することにより、皮膚のねじれる力はバンドの内側をめぐる力に変換され、頭部がねじれのアンカーとして働くことを阻害する。
【００８０】
その結果、右軸足の使用者の場合は、右足を中心にして左方向に回転していくベクトルが解消される。左軸足の使用者の場合は、左足を中心にして右方向に回転していくベクトルが解消される。
【００８１】
腕の付け根２については、バンドＡ１０２もしくはＢ１０２を装着することにより、腕全体が内側に回転していく力を軽減することができる。腕は付け根から肘までは、上腕骨という1本の骨しかない。この１本に対して複数の筋肉が関与し、動作をさせている。これらの筋肉は動作により疲労し、完全に疲労を抜くことは難しい。そのため、筋肉が疲労している状態が継続する。筋肉の疲労があるということはその筋肉は縮んでいるということである。
【００８２】
この縮んだ筋肉が複数本あることで、その筋肉の縮みの合力の結果として腕は内側に軸回転する。両腕の付け根２にバンドＡ１０２もしくはＢ１０２を装着することで、腕が内側に軸回転することを防ぐことができる。
【００８３】
またこの部位は肩を構成する部位でもある。肩を構成する鎖骨、肩甲骨はそれぞれが関与する筋肉の疲労を受けている。多くの場合、疲労が抜けないことと、腕の軸回転の影響を受け、肩は内側方向に回転しながら前に突き出ていく。同部位にバンドＡ１０２もしくはＢ１０２を装着することにより、肩周囲の疲労が軽減され、骨格構成上適切な位置である後ろ方向に戻る。
【００８４】
肘の上部３については、肘から手首までは橈骨と尺骨という２本の骨があり、それぞれに筋肉が関与する。その筋肉の疲労によって腕が重い、動きにくくなるといった状態になる。肘の上３にバンドＡ１０３もしくはＢ１０３を装着することで、ひじから先の上の疲労感が消え、軽いと感じやすくなり、動作しやすくなる。
【００８５】
手首の上部４については、橈骨と尺骨の端にバンドＡ１０４もしくはＢ１０４を装着することで、手首から先の疲労感が消え、軽いと感じやすくなり、動作しやすくなる。
【００８６】
手首の橈骨手根関節５については、この部分にバンドＡ１０５もしくはＢ１０５を装着すると、手首から先の血行が良くなり、指先が暖かくなる。
【００８７】
手の第一指の付け根６については、この部分にバンドＡ１０６もしくはＢ１０６を装着すると、第一指の血行が良くなり、指先が暖かくなる。また、第一指の疲労感が消え、動作しやすくなる。
【００８８】
手の第二指の付け根７については、この部分にバンドＡ１０７もしくはＢ１０７を装着すると、第二指の血行が良くなり、指先が暖かくなる。また、第二指の疲労感が消え、動作しやすくなる。
【００８９】
手の第三指の付け根８については、この部分にバンドＡ１０８もしくはＢ１０８を装着すると、第三指の血行が良くなり、指先が暖かくなる。また、第三指の疲労感が消え、動作しやすくなる。
【００９０】
手の第四指の付け根９については、この部分にバンドＡ１０９もしくはＢ１０９を装着すると、第四指の血行が良くなり、指先が暖かくなる。また、第四指の疲労感が消え、動作しやすくなる。
【００９１】
手の第五指の付け根１０については、この部分にバンドＡ１１０もしくはＢ１１０を装着すると、第五指の血行が良くなり、指先が暖かくなる。また、第五指の疲労感が消え、動作しやすくなる。
【００９２】
腰１１については、右軸足の使用者はバンドＣ１１１、左軸足の使用者はバンドＤ１１１を装着することにより、軸足を中心にした身体全体の軸回転を軽減することができる。
【００９３】
大腿部の付け根１２については、この部分には大腿骨があり、大腿四頭筋など様々な筋肉が関与する。これらの筋肉は体重を支えて立つということを生活を続ける中で継続しているため、強い力が入ったままで抜けきることはない。それは就寝時においても完全に抜けきってリセットするということまでは実現されない。
【００９４】
大腿部に関与する各筋肉は疲労により縮んだ状態となる。その縮んだ状態が合力として大腿骨を内側に軸回転させる。この部分にバンドＡ１１２もしくはＢ１１２を装着すると、大腿部の内側への軸回転を弱めることができる。そのため、足が軽くなったと感じやすくなり、歩行時における足あげの動作も軽快になる。
【００９５】
膝の上部１３については、この部分にバンドＡ１１３もしくはＢ１１３を装着すると、膝から下の疲労感が消え、足が軽いと感じ、歩行などがしやすくなる。
【００９６】
くるぶしの上部１４については、この部分にバンドＡ１１４もしくはＢ１１４を装着すると、足全体の重さが消え、軽いと感じ、歩行などがしやすくなる。
【００９７】
くるぶしの下部１５については、この部分にバンドＡ１１５もしくはＢ１１５を装着すると、足首から先が軽いと感じ、歩行などがしやすくなる。また、立位においてはしっかりと立つことができるようになる。
【００９８】
足の第一趾１６については、この部分にバンドＡ１１６もしくはＢ１１６を装着すると、第一趾がしっかりと地面に着くことを実感できる。第一趾が曲がる外反母趾状態の指でも、第一趾本来の仕事である体重を支えるという動作をしやすくなる。また、指先の血行が良くなり、暖かくなる。
【００９９】
足の第二趾１７については、この部分にバンドＡ１１７もしくはＢ１１７を装着すると、第二趾の血行が良くなり、指先が暖かくなる。
【０１００】
足の第三趾１８については、この部分にバンドＡ１１８もしくはＢ１１８を装着すると、第三趾の血行が良くなり、指先が暖かくなる。
【０１０１】
足の第四趾１９については、この部分にバンドＡ１１９もしくはＢ１１９を装着すると、第四趾の血行が良くなり、指先が暖かくなる。
【０１０２】
足の第五趾２０については、この部分にバンドＡ１２０もしくはＢ１２０を装着すると、第五趾がしっかりと地面に着くことを実感できる。第五趾が曲がる内反小趾状態の指でも、第五趾本来の仕事である体重を支えるという動作をしやすくなる。また、指先の血行が良くなり、指先が暖かくなる。
【０１０３】
かかと２１については、この部分にバンドＡ１２１もしくはＢ１２１を装着すると、かかとの肉が適切に踵骨の下部分に戻る。人は二本足で立つがゆえに、軸足と利き足に作業分担をして、歩行の一歩ごとに足を出す順番などを考えなくても済むようにしている。この作業分担は自動化されている。一方で、人間の身体の状態は習慣化される。軸足が体重を支える仕事も習慣となり、その状態を保つようになる。軸足は体重を支えることをより強める。そのことで足の第一趾を使った立位ではなく足趾の付け根にあたるＭＰ関節を使って立位をとるようになる。このことが拇趾外転筋などで構成する足裏のアーチをつぶすことにつながっている。この状態になるとかかとの肉は身体の外側にずれていく。
【０１０４】
バンドＡ１２１もしくはＢ１２１をかかと２１に装着すると、こうして外側に流れていたかかとの肉が踵骨の下に戻るようになり、姿勢が安定し、立位や歩行もしやすくなるのである。
【０１０５】
足裏２２については、この部分にバンドＡ１２２もしくはＢ１２２を装着して歩行すると、疲労しにくくなる。歩行時において足裏が接地するたびに、足裏を構成する皮膚・筋肉・脂肪は体重に押しつぶされてわずかに周囲が広がる。バンドＡ１２２もしくはＢ１２２を装着すると、この時の足裏の周囲が広がる力はバンドの内側をめぐる力に変換され、周囲が広がるという結果には結び付かなくなる。そのため、足裏を構成する皮膚・筋肉・脂肪がクッションとしての役割を適切に果たす。接地時の衝撃をより多く吸収するため、結果として疲労しにくくなる。
【０１０６】
以上のように、本実施の形態によれば、全身の疲労が軽減する。
【０１０７】
バンドＡ、Ｂ、Ｃ、Ｄを配置する方法は、布ゴムや布を半回転ねじってバンドを作り、これを衣服にはめ込む、縫いつける、あるいは接着する、という方法がある。さらには、一般的な粘着テープをねじり皮膚や衣服の上から貼りつけることでも同様の効果が得られる。
【０１０８】
また、スポーツなどの運動時においてテープを使い簡易的に装着することでも身体のパフォーマンスを向上させることができるので、対象年齢は小児から高齢者に至るまで、幅広い対象者や対象の場面を持つことができる。
【産業上の利用可能性】
【０１０９】
本発明は、簡単な構成で人体の疲労を改善できるので、下着などに有用である。
【符号の説明】
【０１１０】
１  頭頂部
２  腕の付け根
３  肘の上部
４  手首の上部
５  手首の橈骨手根関節
６  手の第一指の付け根
７  手の第二指の付け根
８  手の第三指の付け根
９  手の第四指の付け根
１０  手の第五指の付け根
１１  腰
１２  大腿部の付け根
１３  膝の上部
１４  くるぶしの上部
１５  くるぶしの下部
１６  足の第一趾
１７  足の第二趾
１８  足の第三趾
１９  足の第四趾
２０  足の第五趾
２１  かかと
２２  足裏
Ｃ１０１  右軸足頭頂部バンド
Ａ１０２  右腕バンド
Ａ１０３  右肘バンド
Ａ１０４  右手首上部バンド
Ａ１０５  右手首関節バンド
Ａ１０６  右手第一指バンド
Ａ１０７  右手第二指バンド
Ａ１０８  右手第三指バンド
Ａ１０９  右手第四指バンド
Ａ１１０  右手第五指バンド
Ａ１１１  右軸足腰バンド
Ａ１１２  右大腿部バンド
Ａ１１３  右膝バンド
Ａ１１４  右くるぶし上部バンド
Ａ１１５  右くるぶし下部バンド
Ａ１１６  右足第一趾バンド
Ａ１１７  右足第二趾バンド
Ａ１１８  右足第三趾バンド
Ａ１１９  右足第四趾バンド
Ａ１２０  右足第五趾バンド
Ａ１２１  右かかとバンド
Ａ１２２  右足裏バンド
Ｄ１０１  左軸足頭頂部バンド
Ｂ１０２  左腕バンド
Ｂ１０３  左肘バンド
Ｂ１０４  左手首上部バンド
Ｂ１０５  左手首関節バンド
Ｂ１０６  左手第一指バンド
Ｂ１０７  左手第二指バンド
Ｂ１０８  左手第三指バンド
Ｂ１０９  左手第四指バンド
Ｂ１１０  左手第五指バンド
Ｂ１１１  左軸足腰バンド
Ｂ１１２  左大腿部バンド
Ｂ１１３  左膝バンド
Ｂ１１４  左くるぶし上部バンド
Ｂ１１５  左くるぶし下部バンド
Ｂ１１６  左足第一趾バンド
Ｂ１１７  左足第二趾バンド
Ｂ１１８  左足第三趾バンド
Ｂ１１９  左足第四趾バンド
Ｂ１２０  左足第五趾バンド
Ｂ１２１  左かかとバンド
Ｂ１２２  左足裏バンド
【図１】
2017113214.tif 000003
【図２】
2017113214.tif 000004
【図３】
2017113214.tif 000005
【図４】
2017113214.tif 000006
【図５】
2017113214.tif 000007
【図６】
2017113214.tif 000008
【図７】
2017113214.tif 000009
【図８】
2017113214.tif 000010
【図９】
2017113214.tif 000011